(57)【特許請求の範囲】
【請求項１】
基材に貼着される加飾体の周囲を把持機構を介して把持して外側へ引っ張るエアシリンダを備えた加飾体引張り機構を、前記加飾体の周囲に複数配設した加飾体クランプ装置において、
前記加飾体引張り機構のうち前記基材における深い擂り鉢形状のコーナ部に対応して配設されたものに、前記把持機構が前記エアシリンダにより引っ張られて前記加飾体の外側へ移動する距離を所要範囲内で一時的に限定する位置決め機構を付設して、皺取り付き加飾体引張り機構を構成し、
前記位置決め機構は、
前記エアシリンダと同じ方向へ指向しかつねじ機構によりその位置を調節可能なシリンダと、
前記把持機構が装着された可動ブラケットに固設されかつ前記シリンダが伸長作動した時にそのピントンロッドの先端が当接するストッパと、
を含むことを特徴とする加飾体クランプ装置。
【発明の詳細な説明】
【０００１】
【発明の属する技術分野】
本発明は、布地等の加飾体を殻状成形の基材に貼着する際に前記加飾体をクランプする装置の改良に関する。
【従来の技術】
【０００２】
従来、この種の装置として、実登録２５５８２８７号に開示されるように、基材に貼着される加飾体の周囲を把持機構を介して把持して外側へ引っ張るエアシリンダを備えた加飾体引張り機構を、前記加飾体の周囲に複数配設して、加飾体引張り機構により加飾体の周囲を引っ張りながら加飾体を貼着するたものがある。
【０００３】
【発明が解決しようとする課題】
しかし、このように構成された従来の加飾体クランプ装置では、自動車のア−ムレストの基材などのように、深い擂り鉢形状のコ−ナ−部がある場合、加飾体引張り機構が加飾体を引っ張りながら貼り込こんでも、基材が大きく立体化しているために加飾体の引っ張るべき方向が多岐にわたり、それに伴って、加飾体における引張り力がかからない部位に余り皺が発生するなどの問題が起きていた。
【０００４】
本考案は上記の問題を解決するために成されたもので、その目的は、加飾体を基材に貼着する際に皺無く貼り込むことのできる加飾体クランプ装置を提供することにある。
【０００５】
【問題を解決するための手段】
上記の目的を達成するために本発明における加飾体クランプ装置は、基材に貼着される加飾体の周囲を把持機構を介して把持して外側へ引っ張るエアシリンダを備えた加飾体引張り機構を、前記加飾体の周囲に複数配設した加飾体クランプ装置において、前記加飾体引張り機構のうち前記基材における深い擂り鉢形状のコーナ部に対応して配設されたものに、前記把持機構が前記エアシリンダにより引っ張られて前記加飾体の外側へ移動する距離を所要範囲内で一時的に限定する位置決め機構を付設して、皺取り付き加飾体引張り機構を構成し、前記位置決め機構は、前記エアシリンダと同じ方向へ指向しかつねじ機構によりその位置を調節可能なシリンダと、前記把持機構が装着された可動ブラケットに固設されかつ前記シリンダが伸長作動した時にそのピントンロッドの先端が当接するストッパと、を含むことを特徴とする。
【０００６】
このように構成されたものは、加飾体引張り機構のエアシリンダにより加飾体の周囲を外側へ引っ張るとともに、位置決め機構によって把持機構の位置を一時的に限定した状態で皺取り付き加飾体引張り機構のエアシリンダにより加飾体の周囲を外側へ引っ張りながら上型を下降して加飾体をプリフォ−ムし、このプリフォ−ムの時点で、位置決め機構を作動させて加飾体の余り皺を強制的に引り張り、その余り皺を除去する。
【０００７】
【発明の実施の形態】
以下、発明を適用した加飾体のクランプ装置の一実施例について図１〜図５に基づき詳細に説明する。平面図である図１および要部縦断面図である図２に示すように、加飾体Ａを貼着する基材Ｂは、下型１上にセットできるようにしてあり、下型１は図示しない昇降可能なテ−ブル上に設置してある。また、前記下型１の上方には加飾体Aの貼着範囲より若干大きな開口３を有する受板４が設けられてあり、前記受板４上には、基材Ｂに貼着される加飾体Ａの周囲を把持機構（後述）を介して把持して外側へ引っ張るエアシリンダ（後述）を備えた複数の加飾体引張り機構５・５と、前記把持機構（後述）の位置を一時的に限定する位置決め機構（後述）を前記加飾体引張り機構５に付設して前記加飾体Ａの皺を取るようにした複数の皺取り付き加飾体引張り機構６・６が、前記開口３を囲むように配置して装着してある。
【０００８】
そして、図３および図４に示すように、各皺取り付き加飾体引張り機構６においては、ピストンロッド７ａが前記開口３側へ向くエアシリンダ７が支持ブラケット８および固定ブラケット９を介して前記受板４に固設してあり、前記エアシリンダ７には、収縮作動してつねに加飾体Ａを引っ張るべくエアが入っている。また、前記ピストンロッド７ａの先端には連結部材１０を介して可動ブラケット１１が連結してあり、可動ブラケット１１は、前記支持ブラケット８に装着されたＬＭガイド１２に係合されて水平方向へ移動自在に支持してあり、さらに前記エアシリンダ７の伸縮作動により往復動するようになっている。また、前記可動ブラケット１１上の左寄り位置には加飾体Ａの周囲を把持する把持機構１３が装着してあり、把持機構１３は、複数の爪１４・１４と、受け部材１５と、アーム１６を介して前記爪１４・１４を上下動させるモータ１７とで構成してあって、前記複数の爪１４・１４と前記受け部材１５とで前記加飾体Ａを把持できるようになっている。以上の構成は前記加飾体引張り機構５と同様である。
【０００９】
そして、前記皺取り付き加飾体引張り機構６には前記把持機構１３の位置を一時的に限定すべく位置決め機構１８がさらに設けてあり、位置決め機構１８は、支持部材１９を介して前記固定ブラケット９上に装着されかつ前記エアシリンダ７と同じ方向へ指向したシリンダ２０と、前記可動ブラケット１１に固設されたストッパ２１と、前記固定ブラケット９に対する前記シリンダ２０の位置を前記支持部材１９を介在させて調節するねじ機構２２と、で構成してある。なお、図２において符号２３は上型である。
【００１０】
このように構成されたものは、皺取り付き加飾体引張り機構６について、予めじねじ機構２２により固定ブラケット９に対するシリンダ２０の位置を調節してシリンダ２０の伸長作動時の可動ブラケット１１および把持機構１３の位置を決定し、かつ、シリンダ２０を伸長作動してこれのピストンロッドの先端をストッパ２１に当接させてストッパ２１が外側へ移動するのを阻止し、これにより、エアシリンダ７の収縮を中間停止させるとともに把持機構１３を所要距離基材Ｂ側に寄せておく。この状態の下に、図２に示すように、基材Ｂを下型１、加飾体引張り機構５および皺取り付き加飾体引張り機構６にセットし、続いて、加飾体引張り機構５および皺取り付き加飾体引張り機構６の把持機構１３・１３によって加飾体Ａの周囲を把持する。次いで、上型２３を下降させて加飾体Ａのプリフォ−ムを行う。
【００１１】
この場合、全部のエアシリンダ７・７のピストンロッド７ａ・７ａは加飾体Ａを介して引き出されるが、特に、加飾体Ａにおける深い擂り鉢形状があるコ−ナ部を把持している皺取り付き加飾体引張り機構６の把持機構１３・１３に係るエアシリンダ７・７のピストンロッド７ａは引き出されず、これに伴って、図５に示すように、加飾体Ａに余り皺Ｃが発生する。そこで、シリンダ２０・２０を収縮作動させると、エアシリンダ７・７によって把持機構皺取り付き加飾体引張り機構６の把持機構１３・１３が後退され、この結果、加飾体Ａが把持機構１３・１３によって両側から引っ張られて余り皺が取り除かれる。その後、上型２３をさらに下降させて加飾体Ａの基材Ｂへの貼着を完了する。
【００１２】
【発明の効果】
以上の説明から明らかなように本発明は、基材に貼着される加飾体の周囲を把持機構を介して把持して外側へ引っ張るエアシリンダを備えた加飾体引張り機構を、前記加飾体の周囲に複数配設した加飾体クランプ装置において、前記加飾体引張り機構のうち前記基材における深い擂り鉢形状のコーナ部に対応して配設されたものに、前記把持機構が前記エアシリンダにより引っ張られて前記加飾体の外側へ移動する距離を所要範囲内で一時的に限定する位置決め機構を付設して、皺取り付き加飾体引張り機構を構成し、前記位置決め機構は、前記エアシリンダと同じ方向へ指向しかつねじ機構によりその位置を調節可能なシリンダと、前記把持機構が装着された可動ブラケットに固設されかつ前記シリンダが伸長作動した時にそのピントンロッドの先端が当接するストッパと、を含むから、加飾体を基材に貼着する際に適確に皺無く貼り込むことが可能になるなどの優れた実用的効果を奏する。
【図面の簡単な説明】
【図１】本発明の一実施例を示す平面図である。
【図２】図１のＡ−Ａ断面図である。
【図３】図２のB部拡大図である。
【図４】図３の平面図である。
【図５】図１についての作動説明図である。
【符号の説明】
５ 加飾体引張り機構
６ 皺取り付き加飾体引張り機構
７ エアシリンダ
１３ 把持機構
１８ 位置決め機構
【図１】
0003968693.tif 000002
【図２】
0003968693.tif 000003
【図３】
0003968693.tif 000004
【図４】
0003968693.tif 000005
【図５】
0003968693.tif 000006